(57)【要約】      （修正有）【課題】生体情報の読取面に塵や埃等が堆積するのを十分に抑えられる生体情報読取ユニットを提供する。【解決手段】生体情報読取部は、利用者の指静脈パターンを生体情報として読み取り、読み取った指静脈パターンを制御部に通知する。読取台３０は、回転軸３０ａを中心に回転自在に取り付けられている。生体情報読取部３は、利用者に対して生体情報の認証を行うときに、読取台３０を回転駆動させて、生体情報の読取面を本体外側に向けた読取状態とし、利用者に対する生体情報の認証が完了すると、再度読取台３０を回転駆動させて、生体情報の読取面を本体内側に向けた待機状態に戻す。【選択図】  図２
2008146537.tif 000002
【特許請求の範囲】
【請求項１】
利用者の生体情報を読み取る生体情報読取ユニットであって、
利用者の生体情報を読み取る生体情報読取センサを設けた生体情報読取台と、
前記生体情報読取台を駆動し、その状態を、前記生体情報読センサの読取面を本体外側に向けた第１の状態と、当該読取面を本体内側に向けた第２の状態と、の間で変化させる駆動部と、を備え、
前記駆動部は、利用者の認証時に、前記生体情報読取台を前記第１の状態に変化させ、且つ利用者に対する認証が完了したときに、前記生体情報読取台を前記第２の状態に変化させる、生体情報読取ユニット。
【請求項２】
前記生体情報読取台は、回転自在に取り付けられており、
前記駆動部は、前記生体情報読取台を回転させ、その状態を前記第１の状態と前記第２の状態との間で変化させる、請求項１に記載の生体情報読取ユニット。
【請求項３】
前記生体情報読取台は、前記第２の状態であるとき、生体情報読取センサの読取面が下向きになるように取り付けている、請求項１または２に記載の生体情報読取ユニット。
【請求項４】
前記駆動部が前記生体情報読取台を前記第１の状態から、前記第２の状態に駆動しているときに、この生体情報読取台の表面に当接するクリーニング部材を備えた請求項１〜３のいずれかに記載の生体情報読取ユニット。
【請求項５】
前記生体情報読取部が前記第２の状態であるとき、この生体情報読取台の表面に対して送風する送風部を備えた、請求項１〜４のいずれかに記載の生体情報読取ユニット。
【請求項６】
利用者の記録媒体を受け付け、当該記録媒体に記録されている媒体情報を読み取る媒体処理部と、
利用者の生体情報を読み取る生体情報読取センサを設けた生体情報読取台と、
前記媒体処理部が読み取った媒体情報と、前記生体情報読取センサが読み取った利用者の生体情報と、を用いて、この利用者を認証する認証部と、
前記生体情報読取台を駆動し、その状態を、前記生体情報読センサの読取面を本体外側に向けた第１の状態と、当該読取面を本体内側に向けた第２の状態と、の間で変化させる駆動部と、を備え、
前記駆動部は、利用者の認証時に、前記生体情報読取台を前記第１の状態に変化させ、且つ利用者に対する認証が完了したときに、前記生体情報読取台を前記第２の状態に変化させる、個人認証装置。
【請求項７】
前記媒体処理部が受け付けた記録媒体から読み取った前記媒体情報に、生体情報が含まれていた場合に、前記駆動部に対して前記生体情報読取台を前記第１の状態に変化させることを指示し、反対に生体情報が含まれていなかった場合に、前記駆動部に対して前記生体情報読取台を前記第１の状態に変化させることを指示しない駆動指示部を備えた、請求項６に記載の個人認証装置。
【請求項８】
前記駆動部が前記生体情報読取台を駆動するときに、その旨を表示出力する表示部を備えた、請求項６または７に記載の個人認証装置。
【発明の詳細な説明】
【技術分野】
【０００１】
この発明は、利用者から指紋パターン、指静脈パターン、掌静脈パターン等の生体情報を読み取る生体情報読取ユニット、および、この生体情報読取ユニットを適用した個人認証装置に関する。
【背景技術】
【０００２】
従来、指紋パターン、指静脈パターン、掌静脈パターン等の生体情報を用いて利用者を認証する生体情報認証装置があった。生体情報は、利用者個人の体の一部にかかる情報であることから、なりすましに対するセキュリティ性が高い。最近では、銀行等の金融機関に設置されている現金自動預け払い機（ＡＴＭ）や、管理区域への入退室を制限する入退室管理装置等に、この生体情報認証装置が適用されている。
【０００３】
生体情報を利用する個人認証装置は、生体情報読取センサ（例えば、イメージセンサ）の読取面に対向させられた利用者の指や掌等を撮像して、当該利用者の生体情報（指紋パターン、指静脈パターン、掌静脈パターン等）を読み取っている。また、一般的な個人認証装置では、生体情報を読み取らせるときの利用者の操作性を考慮し、生体情報の読取面を上向きに設けている。このため、生体情報の読取面側に塵や埃等が付着しやすい。生体情報の読取面側に塵や埃等が付着し堆積すると、生体情報の読み取りが適正に行えなくなる。その結果、認証精度を低下させることになる。そこで、読取面側の上方にカバーを設け、利用者がこのカバーを指で押し下げると、当該カバーが開き、利用者の指が生体情報の読取面に対向する構成を採用した個人認証装置が提案されている（特許文献１参照）。この構成では、利用者の生体情報の読み取りを行わないとき、読取面側がカバーで覆われた状態になるので、読取面側に塵や埃等が付着するのを抑えられる。
【特許文献１】特開２００５−２５３９８９号公報
【発明の開示】
【発明が解決しようとする課題】
【０００４】
しかしながら、特許文献１に記載されている構成では、利用者の生体情報の読み取りを行わないとき、カバーの上面に塵や埃等が溜まる。そして、利用者が生体情報の読取時に指でカバーを押し下げたときに、このカバーの上面に溜まっていた塵や埃が生体情報の読取面側に落ちることがある。したがって、特許文献１の構成では、生体情報の読取面側に塵や埃等が付着するのを十分に抑えられていなかった。その結果、読取面側に付着した塵や埃等による認証精度の低下を、十分に抑えられていない。
【０００５】
この発明の目的は、生体情報の読取面側に塵や埃等が堆積するのを十分に抑えることができる生体情報読取ユニットを提供することにある。
【０００６】
また、この発明は、生体情報の読取面側に塵や埃等が堆積するのを十分に抑えることによって、結果的に認証精度の低下を十分に抑えることができる個人認証装置を提供することを目的とする。
【課題を解決するための手段】
【０００７】
この発明の生体情報読取ユニットは、上記課題を解決するために以下の構成を備えている。
【０００８】
（１）利用者の生体情報を読み取る生体情報読取ユニットであって、
利用者の生体情報を読み取る生体情報読取センサを設けた生体情報読取台と、
前記生体情報読取台を駆動し、その状態を、前記生体情報読センサの読取面を本体外側に向けた第１の状態と、当該読取面を本体内側に向けた第２の状態と、の間で変化させる駆動部と、を備え、
前記駆動部は、利用者の認証時に、前記生体情報読取台を前記第１の状態に変化させ、且つ利用者に対する認証が完了したときに、前記生体情報読取台を前記第２の状態に変化させる。
【０００９】
この構成では、駆動部が、生体情報読取台を駆動し、当該生体情報読取台に設けられた生体情報読取センサの読取面を本体外側に向けた第１の状態と、本体内側に向けた第２の状態との間で変化させる。駆動部は、利用者の認証時に生体情報読取台を第１の状態にし、利用者の認証が完了すると生体情報読取台を第２の状態にする。このように、利用者の生体情報を読み取る必要がないときには、生体情報読取センサの読取面を本体内側に向けているので、この読取面側に塵や埃等が付着するのを抑えることができる。また、利用者の生体情報を読み取るときに、読取面側に塵や埃等が付着しても、利用者に対する生体認証が完了したときに、駆動部が生体情報読取台を第１の状態から第２の状態に駆動するので、このときの振動等で読取面側に付着した塵や埃等を落とすことができる。したがって、生体情報読取センサの読取面側に塵や埃等が付着し、堆積するのを十分に抑えることができる。これにより、利用者の生体情報を適正に読み取ることができる。
【００１０】
（２）前記生体情報読取台は、回転自在に取り付けられており、
前記駆動部は、前記生体情報読取台を回転させ、その状態を前記第１の状態と前記第２の状態との間で変化させる。
【００１１】
この構成では、生体情報読取台を回転自在に取り付けるという簡単な構成を採用したので、本体のコストアップが抑えられる。
【００１２】
（３）前記生体情報読取台は、前記第２の状態であるとき、生体情報読取センサの読取面が下向きになるように取り付けている。
【００１３】
この構成では、生体情報読取台が第２の状態であるとき、生体情報読取センサの読取面側に付着している塵や埃等を落下させて、取り除くことができる。したがって、生体情報読取センサの読取面側に塵や埃等が付着し、堆積するのを一層十分に抑えられる。
【００１４】
（４）前記駆動部が前記生体情報読取台を前記第１の状態から、前記第２の状態に駆動しているときに、この生体情報読取台の表面に当接するクリーニング部材を備えている。
【００１５】
この構成では、生体情報の読取面側に付着している塵や埃等の除去が効率的に行える。
【００１６】
（５）前記生体情報読取部が前記第２の状態であるとき、この生体情報読取台の表面に対して送風する送風部を備えている。
【００１７】
この構成では、上記（４）と同様に、生体情報の読取面側に付着している塵や埃等の除去が効率的に行える。
【００１８】
また、この発明の個人認証装置は、以下の構成を備えている。
【００１９】
（１）利用者の記録媒体を受け付け、当該記録媒体に記録されている媒体情報を読み取る媒体処理部と、
利用者の生体情報を読み取る生体情報読取センサを設けた生体情報読取台と、
前記媒体処理部が読み取った媒体情報と、前記生体情報読取センサが読み取った利用者の生体情報と、を用いて、この利用者を認証する認証部と、
前記生体情報読取台を駆動し、その状態を、前記生体情報読センサの読取面を本体外側に向けた第１の状態と、当該読取面を本体内側に向けた第２の状態と、の間で変化させる駆動部と、を備え、
前記駆動部は、利用者の認証時に、前記生体情報読取台を前記第１の状態に変化させ、且つ利用者に対する認証が完了したときに、前記生体情報読取台を前記第２の状態に変化させる。
【００２０】
この構成では、上述したように、生体情報読取センサの読取面側に塵や埃等が付着し、堆積するのを十分に抑えられるので、利用者の生体情報を適正に読み取ることができる。したがって、利用者の認証精度の低下を十分に抑えることができる。
【００２１】
（２）前記媒体処理部が受け付けた記録媒体から読み取った前記媒体情報に、生体情報が含まれていた場合に、前記駆動部に対して前記生体情報読取台を前記第１の状態に変化させることを指示し、反対に生体情報が含まれていなかった場合に、前記駆動部に対して前記生体情報読取台を前記第１の状態に変化させることを指示しない駆動指示部を備えている。
【００２２】
この構成では、媒体処理部が受け付けた記録媒体に生体情報が記録されていなかった場合、すなわち利用者に対して生体認証を行わない場合、駆動部に対して生体情報読取台を第１の状態に変化させることを指示しないので、駆動部が生体情報読取台を無駄に駆動することがない。
【００２３】
（３）前記駆動部が前記生体情報読取台を駆動するときに、その旨を表示出力する表示部を備えている。
【００２４】
この構成では、生体情報読取台が駆動部により駆動されることを、利用者に通知することができる。
【発明の効果】
【００２５】
この発明の生体情報読取ユニットよれば、生体情報読取センサの読取面側に塵や埃等が付着するのを抑えられるとともに、この読取面側に付着した塵や埃等を効率的に取り除くことができる。したがって、利用者の生体情報の読取が適正に行える。
【００２６】
また、この発明の個人認証装置によれば、生体情報の読取面側に付着した塵や埃等による影響を受けて、利用者の認証精度が低下するのを十分に抑えることができる。
【発明を実施するための最良の形態】
【００２７】
以下、この発明の実施形態である生体情報読取ユニット、および個人認証装置について説明する。
【００２８】
図１は、この発明の実施形態である個人認証装置を適用した現金自動預け払い機（以下、ＡＴＭと言う。）の主要部の構成を示す図である。ＡＴＭ１は、制御部２と、生体情報読取部３と、カード処理部４と、通帳処理部５と、現金処理部６と、操作部７と、表示部８と、通信部９と、を備えている。この実施形態のＡＴＭ１は、銀行等の金融機関の店舗に設置されている。ＡＴＭ１は、利用者が希望する入金処理や、出金処理等の取引を行う。制御部２は、ＡＴＭ１本体各部の動作を制御する。制御部２には、この発明で言う認証部が設けられている。生体情報読取部３は、利用者の生体情報を読み取る。この生体情報読取部３が、この発明にかかる生体情報読取ユニットの実施形態である。生体情報読取部３が読み取る利用者の生体情報は、指紋パターン、指静脈パターン、掌静脈パターンのいずれであってもよい。ここでは、生体情報として指静脈パターンを読み取る場合を例にして説明する。カード処理部４は、利用者が所有するキャッシュカード１０（以下、単にカード１０と言う。）を受け付け、当該カード１０に記録されているカード情報（この発明で言う媒体情報に相当する。）を読み取る。カード１０は、磁気カード、接触式のＩＣカード、非接触式のＩＣカード等、いずれの種類であってもよい。カード処理部４は、取り扱うカード１０の種類に応じて、当該カード１０に記録されているカード情報の読取や、当該カードに対するカード情報の記録が行えるように構成されている。また、カード処理部４は、複数種類のカード１０が処理できる構成とすることもできる。また、カード１０には、利用者の生体情報（指静脈パターンの登録データ）をカード情報として記録しているものもあれば、記録していないものもある。
【００２９】
通帳処理部５は、利用者の通帳を受け付け、当該通帳に記録されている通帳情報を読み取る読取機能や、当該通帳に対して取引内容を印字する印字機能を備えている。また、取引時に通帳が使用されなかった場合に、取引内容を印字した明細票を発行する明細票発行機能も有している。現金処理部６は、入出金される硬貨や紙幣を処理する。操作部７は、利用者が入力操作を行う入力デバイス（キーボードやタッチパネル）を備え、この入力デバイスにおける利用者の入力操作を受け付ける。表示部８は、利用者に対する操作案内画面等を表示し、利用者の入力操作を援助する。通信部９は、図示していない上位装置等とのデータ通信を制御する。この発明の個人認証装置の実施形態は、上述した制御部２、生体情報読取部３、カード処理部４、および表示部８により構成される。
【００３０】
図２は、生体情報読取部の構成を示す図である。生体情報読取部３は、利用者の指静脈パターンを生体情報として読み取り、読み取った指静脈パターンを制御部２に通知する。生体情報読取部３は、利用者が生体情報として読み取らせる指を載せる読取台３０を有している。この読取台３０は、回転軸３０ａを中心に回転自在に取り付けられている。読取台３０の一方の面には、利用者に指を載せる位置を案内するガイド部材３０ｂが設けられている。読取台３０と、ガイド部材３０ｂと、の間には、利用者の指の指静脈パターンを読み取る読取センサ３１が設けられている。読取センサ３１は、イメージセンサである。ガイド部材３０ｂは、このガイド部材３０ｂの上に載せられた利用者の指から指静脈パターンが読取センサ３１で読み取れるように、光透過性の部材で構成されている。ガイド部材３０ｂが配置されている側が、読取センサ３１の読取面側である。
【００３１】
なお、図２には示していないが、読取台３０には、利用者の指静脈パターンを撮像するときに照明光を発する光源（不図示）を有している。
【００３２】
また、モータ３２は、駆動制御部３３により駆動制御される。駆動制御部３３は、制御部２からの指示にしたがってモータ３２を制御する。モータ３２の回転軸３２ａは、読取台３０の回転軸３０ａに連結されている。読取台３０は、モータ３２により回転駆動され、図２（Ａ）に示す読取状態（この発明で言う第１の状態）と、図２（Ｂ）に示す待機状態（この発明で言う第２の状態）とに変化させられる。読取状態、および待機状態では、ＡＴＭ１のパネル面と、読取台３０におけるＡＴＭ１のパネル側に位置する面と、が略一致するように構成している。また、待機状態では、ガイド部材３０ｂが設けられている読取面側が、本体内部に収納された状態になるので、待機状態であるときに読取面側に塵や埃等が付着するのを十分に抑えることができる。図２では、モータ３２の回転軸３２ａと、読取台３０の回転軸３０ａと、をベルトで連結した場合を示しているが、ギヤを介して連結してもよいし、読取台３０の回転軸３０ａをモータ３２の回転軸３２ａで構成してもよい。
【００３３】
読取台３０は、ＡＴＭ１の操作パネルに配置している。この読取台３０は、図２（Ａ）に示すように、読取面を本体外側に向けた読取状態であるときに、この読取面が上向きになり、図２（Ｂ）に示すように、読取面を本体内側に向けた待機状態であるときに、この読取面が下向きになる。したがって、待機状態であるときに、ガイド部材３０ｂに付着した塵や、埃等を落とすことができる。また、読取状態であるときには、読取センサ３１の読取面が上向きになるので、利用者の操作性を低下させることもない。
【００３４】
また、読取台３０が図２（Ａ）、または図２（Ｂ）に示すいずれの状態であるかを検出するセンサ（不図示）を有している。例えば、図２（Ａ）、または図２（Ｂ）に示す状態であるか、これら以外の状態であるかを検出するセンサと、ガイド部材３０ｂが本体内側に位置しているかどうかを検出するセンサと、を設け、これらのセンサにおける検出結果に基づいて、読取台３０の状態を検出する。センサは、接触式のセンサであってもよいし、非接触式のセンサ（例えば、光学センサ）であってもよい。
【００３５】
なお、この生体情報読取部３における指静脈パターンの撮像方式は、指で反射した光を撮像する反射光方式であってもよいし、指を透過した光を撮像する透過光方式であってもよい。光源は、この撮像方式に応じて配置される。
【００３６】
次に、この実施形態のＡＴＭ１の動作について説明する。図３、および図４は、この実施形態のＡＴＭの動作を示すフローチャートである。ＡＴＭ１は、利用者による操作が行われていない待機時においては、読取台３０を図２（Ｂ）に示す待機状態で保持している。ＡＴＭ１は、本体に設けた近接センサ（不図示）で、利用者の存在を検知すると（ｓ１）、図５に示す取引メニュー画面を表示部８に表示する（ｓ２）。ＡＴＭ１は、操作部７において利用者が希望する取引種別を選択する選択入力を行うと（ｓ３）、図６に示すカード１０の挿入画面を表示部８に表示する（ｓ４）。ＡＴＭ１は、カード処理部４にカード１０が挿入されると（ｓ５）、そのカード１０に記録されているカード情報を読み取る（ｓ６）。カード処理部４が挿入されたカード１０から読み取ったカード情報は、制御部２に送られる。
【００３７】
なお、ＡＴＭ１は、このとき、通帳処理部５において通帳を受け付けることもある。また、利用者が選択した取引の種別によっては、カード１０を受け付けないこともあるが、この場合については説明を省略する。
【００３８】
ＡＴＭ１は、ｓ６で読み取ったカード情報に、生体情報が含まれているかどうかを判定する（ｓ７）。カード１０に記録されている生体情報は、そのカード１０の所有者の生体情報である。ＡＴＭ１は、今回カード１０から読み取ったカード情報に生体情報が含まれていると判定すると、利用者に対する生体認証が必要であると判断する。言い換えれば、利用者が、取引時に生体認証を希望している利用者であると判断する。ＡＴＭ１は、読取台３０を駆動し、待機状態から読取状態に変化させることを利用者に認識させるために、図７に示す駆動画面を表示部８に表示する（ｓ８）。また、ＡＴＭ１は、生体情報読取部３に対して、読取台３０を待機状態から読取状態に駆動することを指示する（ｓ９）。この駆動指示は、駆動制御部３３に与えられる。駆動制御部３３は、モータ３２を駆動し、読取台３０を待機状態から読取状態に変化させる。駆動制御部３３は、読取台３０が読取状態になると（ｓ１０）、モータ３２の駆動を停止する。ＡＴＭ１は、読取台３０が読取状態になると、図８に示す生体情報読取画面を表示し（ｓ１１）、利用者に対して生体情報を登録している指を読取台３０に載せることを案内する。生体情報の読取面側には、上述したようにガイド部材３０ｂが配置されているので、利用者が簡単に読取センサ３１の読取位置に指を置くことができる。
【００３９】
生体情報読取部３は、読み取った利用者の指静脈パターンを制御部２に通知する。ＡＴＭ１は、生体情報読取部３において利用者の指静脈パターンが読み取られると（ｓ１２）、カード処理部４がｓ６で読み取ったカード情報に含まれている生体情報と、この生体情報読取部３がｓ１２で読み取った利用者の指静脈パターンと、を照合し、利用者とカード１０の所有者とが同一人物であるかどうかを認証する（ｓ１３）。ＡＴＭ１は、ｓ１３で利用者がカード１０の所有者であると認証できなかった場合、この利用者について、今回の取引で生体情報による認証の失敗が予め定められた所定回数（例えば、３回）に達したかどうかを判定する（ｓ１４）。ＡＴＭ１は、ｓ１４で所定回数に達していないと判定すると、一旦読取台３０の読取面から指を離し（図９（Ａ）参照）、再度読取面に指を載せることを指示する画面（図９（Ｂ）参照）を順番に表示部８に表示し（ｓ１５）、ｓ１２に戻る。
【００４０】
ＡＴＭ１は、ｓ１３で利用者がカード１０の所有者であることを認証すると、認証完了を利用者に通知する画面を表示する（ｓ１６）。その後、利用者が読取台３０の読取面から指を離すと、ＡＴＭ１は、読取台３０を駆動し、待機状態に戻すことを利用者に認識させるために、図１０に示す駆動画面を表示部８に表示させる（ｓ１７）。また、ＡＴＭ１は、生体情報読取部３に対して、読取台３０を読取状態から待機状態に駆動することを指示する（ｓ１８）。この駆動指示は、駆動制御部３３に与えられる。駆動制御部３３は、モータ３２を駆動し、読取台３０を読取状態から待機状態に変化させる。駆動制御部３３は、読取台３０が待機状態になると、モータ３２の駆動を停止する。
【００４１】
ＡＴＭ１は、読取台３０が待機状態になると（ｓ１９）、図１１に示す暗証番号入力画面を表示部８に表示する（ｓ２０）。ＡＴＭ１は、利用者が操作部７において暗証番号を入力すると（ｓ２１）、今回入力された暗証番号が適正であるかどうかを判定する（ｓ２２）。ＡＴＭ１は、ｓ２２で暗証番号が適正でないと判定すると、今回の取引で適正でない暗証番号が入力された回数が予め定められた回数（例えば、３回）に達したかどうかを判定する（ｓ２３）。ＡＴＭ１は、ｓ２３で適正でない暗証番号が入力された回数が予め定められた回数に達していないと判定すると、暗証番号の再入力を要求する画面を表示部８に表示し（ｓ２４）、ｓ２１に戻る。また、ＡＴＭ１は、ｓ２３で適正でない暗証番号が入力された回数が予め定められた回数に達していると判定すると、カード処理部４において受け付けたカード１０や、通帳処理部５で受け付けた通帳等を利用者に返却する取引中止処理を行い（ｓ２５）、本処理を終了する。一方、ＡＴＭ１は、ｓ２２で入力された暗証番号が適正であると判定すると、入金金額や、出金金額等を受け付け、ｓ３で選択された種類の取引を行う取引処理を実行し（ｓ２６）、本処理を終了する。現金処理部６が、この取引処理で入出金される硬貨や紙幣を処理する。また、ＡＴＭ１は、通信部９において上位装置との通信を必要に応じて行う。ＡＴＭ１は、ｓ２６にかかる取引処理の完了時に、カード処理部４において受け付けたカード１０や、通帳処理部５で受け付けた通帳等を利用者に返却する。
【００４２】
また、ＡＴＭ１は、ｓ７で今回受け付けたカード１０に生体情報が記録されていないと判定すると、上述したｓ２０以降の処理を行う。また、ＡＴＭ１は、ｓ１４で今回の取引での生体情報による認証の失敗が予め定められた所定回数に達していると判定すると、生体認証失敗を示す画面（図１２参照）を表示部８に表示し（ｓ２７）、読取台３０の読取面から指を離すことを利用者に指示する。ＡＴＭ１は、利用者が読取台３０の読取面から指を離すと、読取台３０を駆動し、待機状態に戻すことを利用者に認識させるために、上述した図１０に示す駆動画面を表示部８に表示させる（ｓ２８）。このｓ２８にかかる処理は、上述したｓ１７と同じである。また、ＡＴＭ１は、生体情報読取部３に対して、読取台３０を読取状態から待機状態に駆動することを指示する（ｓ２９）。このｓ２９にかかる処理も、上述したｓ１８と同じである。この駆動指示は、駆動制御部３３に与えられる。駆動制御部３３は、モータ３２を駆動し、読取台３０を読取状態から待機状態に変化させる。駆動制御部３３は、読取台３０が待機状態になると、モータ３２の駆動を停止する。ＡＴＭ１は、読取台３０が待機状態になると（ｓ３０）、上述したｓ２５で取引中止処理を行い、本処理を終了する。
【００４３】
このように、この実施形態のＡＴＭ１では、利用者に対して生体情報の認証を行うときに、読取台３０を回転駆動させて、生体情報の読取面を本体外側に向けた読取状態とし、利用者に対する生体情報の認証が完了すると、再度読取台３０を回転駆動させて、生体情報の読取面を本体内側に向けた待機状態に戻す。したがって、利用者に対して生体情報の認証を行わないときに、生体情報の読取面側に塵や埃等が溜まるのを十分に抑えることができる。また、利用者の生体情報の読取時に、生体情報の読取面側に付着した塵や埃等も、読取台３０を読取状態から待機状態に駆動しているときの振動で取り除くことができる。さらに、待機状態において読取面が下向きになることから、利用者の生体情報の読取時に、生体情報の読取面側に付着した塵や埃等を効率的に取り除くことができる。したがって、利用者の生体情報の読取が適正に行え、認証精度の低下が抑えられる。
【００４４】
また、読取台３０を回転自在に取り付けるという簡単な構成であるので、装置本体のコストアップも、十分に抑えられる。
【００４５】
また、読取台３０を回転駆動するときに、その旨を表示部８に表示するようにしているので、利用者に注意を促すことができ、安全性についても確保できる。
【００４６】
さらに、生体情報読取部３を図１３や、図１４に示すように構成してもよい。図１３、図１４ではモータ３２等の図示を省略している。図１３は、読取台３０が回転駆動されているときに、読取台３０に当接するブラシ４１を配置した構成である。したがって、読取台３１が回転駆動されているときに、これにより、読取台３０が回転駆動されているときに、ブラシ４１により読取面側に付着している塵や埃等を掃き落とすことができ、生体情報の読取面側に付着した塵や埃等をより一層効率的に取り除くことができる。
【００４７】
また、図１４は、読取台３０が待機状態であるときに、読取面に対して送風する送風部４２を設けた構成である。図１４中に示す４２ａは、送風機４２から吹き出された風を通す、送風孔である。この場合、読取台３０が待機状態であるときに、適当なタイミングで送風部４２を駆動すればよい。これにより、読取面側に付着している塵や埃等を吹き飛ばすことができ、生体情報の読取面側に付着した塵や埃等をより一層効率的に取り除くことができる。
【００４８】
また、ブラシ４１、および送風機４２を両方設ければ、生体情報の読取面側に付着した塵や埃等をより一層効率的に取り除くことができる。
【００４９】
なお、上記実施形態では、読取台３０をモータ３２で回転させる構成としたが、読取台３０を、待機状態と読取状態とで変化させる駆動部としてソレノイド等を用いてもよい。また、上記実施形態では、本願発明をＡＴＭ１に適用した場合を例にして説明したが、本願発明は入退室管理装置等の他の種類の装置にも適用することができる。
【図面の簡単な説明】
【００５０】
【図１】この発明の実施形態である個人認証装置を適用した現金自動預け払い機の主要部の構成を示す図である。
【図２】生体情報読取部の構成を示す図である。
【図３】この実施形態のＡＴＭの動作を示すフローチャートである。
【図４】この実施形態のＡＴＭの動作を示すフローチャートである。
【図５】表示部における表示画面例を示す図である。
【図６】表示部における表示画面例を示す図である。
【図７】表示部における表示画面例を示す図である。
【図８】表示部における表示画面例を示す図である。
【図９】表示部における表示画面例を示す図である。
【図１０】表示部における表示画面例を示す図である。
【図１１】表示部における表示画面例を示す図である。
【図１２】表示部における表示画面例を示す図である。
【図１３】別の実施形態にかかる生体情報読取部の構成を示す図である。
【図１４】別の実施形態にかかる生体情報読取部の構成を示す図である。
【符号の説明】
【００５１】
１−ＡＴＭ１
２−制御部
３−生体情報読取部
４−カード処理部
５−通帳処理部
６−現金処理部
７−操作部
８−表示部
９−通信部
３０−読取台
３０ａ−回転軸
３０ｂ−ガイド部材
３１−読取センサ
３２−モータ
３３−駆動制御部
４１−ブラシ
４２−送風部
４２ａ−送風孔
【図１】
2008146537.tif 000003
【図２】
2008146537.tif 000004
【図３】
2008146537.tif 000005
【図４】
2008146537.tif 000006
【図５】
2008146537.tif 000007
【図６】
2008146537.tif 000008
【図７】
2008146537.tif 000009
【図８】
2008146537.tif 000010
【図９】
2008146537.tif 000011
【図１０】
2008146537.tif 000012
【図１１】
2008146537.tif 000013
【図１２】
2008146537.tif 000014
【図１３】
2008146537.tif 000015
【図１４】
2008146537.tif 000016